(57)【要約】【課題】コネクタの小型化を実現しつつ、突当部の破損を防止することができるコネクタを提供する。【解決手段】雌コネクタＦは、雄コネクタＭのフード部８１の内側に嵌合されるハウジング１０と、ハウジング１０の前側部分に取り付けられるフロントリテーナ５０と、を備える。ハウジング１０は、複数の雌端子金具１１を収容する端子収容部１２と、端子収容部１２の外周縁から前方に向けて略平板状に延び、且つフード部８１に嵌合したときにフード部８１の奥端面に突き当たる突当部２４と、を有する。フロントリテーナ５０は、突当部２４の内側面に沿うように配されて、端子収容部１２の前端を覆うカバー部５１と、正面視におけるカバー部５１と突当部２４との隙間の両側を塞ぐようにカバー部５１から突出した侵入防止部５４と、を有する。【選択図】図３
2019140045.tif 000002
【特許請求の範囲】
【請求項１】
相手側コネクタのフード部の内側に嵌合されるハウジングと、
前記ハウジングの前側部分に取り付けられるフロント部材と、を備え、
前記ハウジングは、
複数の端子金具を収容する端子収容部と、
前記端子収容部の外周縁から前方に向けて略平板状に延び、且つ前記フード部に嵌合したときに前記フード部の奥端面に突き当たる突当部と、を有しており、
前記フロント部材は、
前記突当部の内側面に沿うように配されて、前記端子収容部の前端を覆うカバー部と、
正面視における前記カバー部と前記突当部との隙間の両側を塞ぐように前記カバー部から突出した侵入防止部と、を有することを特徴とするコネクタ。
【請求項２】
前記ハウジングは、前記突当部から厚み方向に突出して前後方向に延びるリブを有していることを特徴とする請求項１に記載のコネクタ。
【請求項３】
前記リブは前記突当部から前記カバー部側に突出しており、
前記フロント部材は、前記リブが嵌まり込む溝部を有していることを特徴とする請求項２に記載のコネクタ。
【発明の詳細な説明】
【技術分野】
【０００１】
本発明はコネクタに関するものである。
【背景技術】
【０００２】
特許文献１には、相手側コネクタのフード部の内側に嵌め込まれるハウジングと、このハウジングの前端を覆うフロント部材とを備えたコネクタが記載されている。このコネクタのハウジングは、フロント部材の外周を囲む周壁を有しており、相手側コネクタのフード部に嵌め込まれると、周壁の前端部を構成する突当部がそのフード部の奥端面に突き当たる。これにより、コネクタの嵌合方向への位置決めがされる。さらに、このコネクタでは、小型化すべく周壁の一面を排除している。
【先行技術文献】
【特許文献】
【０００３】
【特許文献１】特開２０１６−１７８０７６号公報
【発明の概要】
【発明が解決しようとする課題】
【０００４】
しかしながら、周壁の少なくとも一面を排除すると、正面視における周壁とフロント部材との隙間が嵌合方向と直交する方向に開口してしまう。このため、コネクタの嵌合時に相手側コネクタのフード部がその隙間に入り込むおそれがあり、隙間に入り込むと周壁の突当部に応力が集中し、突当部が破損するおそれがある。
【０００５】
本発明は、上記従来の実情に鑑みてなされたものであって、コネクタの小型化を実現しつつ、突当部の破損を防止することができるコネクタの提供を解決すべき課題としている。
【課題を解決するための手段】
【０００６】
本発明のコネクタは、
相手側コネクタのフード部の内側に嵌合されるハウジングと、
前記ハウジングの前側部分に取り付けられるフロント部材と、を備え、
前記ハウジングは、
複数の端子金具を収容する端子収容部と、
前記端子収容部の外周縁から前方に向けて略平板状に延び、且つ前記フード部に嵌合したときに前記フード部の奥端面に突き当たる突当部と、を有しており、
前記フロント部材は、
前記突当部の内側面に沿うように配されて、前記端子収容部の前端を覆うカバー部と、
正面視における前記カバー部と前記突当部との隙間の両端の開口部分を塞ぐように前記カバー部から突出した侵入防止部と、を有する
ところに特徴を有する。
【発明の効果】
【０００７】
本発明によれば、突当部とカバー部との隙間への入り口が侵入防止部によって塞がれるので、フード部が上記隙間に入り込むことを防止することができる。したがって、フード部が上記隙間に入り込んでしまうことによって、ハウジングの突当部に応力が集中し、突当部が破損することを防止することができる。
【図面の簡単な説明】
【０００８】
【図１】実施例１のコネクタ装置の嵌合前の側面図である。
【図２】雄コネクタの斜視図である。
【図３】雌コネクタの斜視図である。
【図４】雌コネクタの正面図である。
【図５】雌コネクタの平面図である。
【図６】雌コネクタの分解斜視図である。
【図７】ハウジングの側面図である。
【図８】フロントリテーナの平面図である。
【図９】ハウジングにフロントリテーナが係止される前の状態をあらわす側面図である。
【図１０】ハウジングにフロントリテーナが係止される前の状態をあらわすＡ−Ａ線相当断面図である。
【図１１】ハウジングにフロントリテーナが仮係止された状態をあらわすＡ−Ａ線相当断面図である。
【図１２】ハウジングにフロントリテーナが本係止された状態をあらわすＡ−Ａ線相当断面図である。
【図１３】（Ａ）は、比較例として突当部の幅寸法がカバー部の幅寸法と同じ場合における突当部の両端部とカバー部との開口寸法を概念的に示した説明図であり、（Ｂ）は、突当部の幅寸法がカバー部の幅寸法よりも小さい場合における突当部の両端部とカバー部との開口寸法を概念的に示した説明図である。
【発明を実施するための形態】
【０００９】
（１）本発明のコネクタにおいて、前記ハウジングは、前記突当部から厚み方向に突出して前後方向に延びるリブを有するようにしてもよい。
こうすれば、突当部の成形時における反りを抑制することができるので、正面視における突当部の両端部とカバー部との隙間の両端の開口部分が拡開することを抑制でき、その結果、フード部が上記開口部分から突当部とカバー部との隙間に入り込んでしまうことをより確実に防止することができる。
【００１０】
（２）本発明のコネクタにおいて、前記リブは前記突当部から前記カバー部側に突出しており、
前記フロント部材は、前記リブが嵌まり込む溝部を有するようにしてもよい。
こうすれば、リブの突出寸法を確保して、突当部の反りをより効率的に防止することができる。
【００１１】
＜実施例１＞
以下、本発明を具体化した実施例１を図１〜図１３を参照して説明する。なお、以下の説明において、雌コネクタＦの前後方向については、雄コネクタＭと嵌合する際の嵌合方向を前方と定義し、雄コネクタＭの前後方向については、雌コネクタＦと嵌合する際の嵌合方向を前方と定義する。上下方向については、図１〜図４、図６、図７及び図９にあらわれる向きをそのまま上下方向と定義する。左右方向については、上下方向及び前後方向と直交する方向を左右方向と定義する。
【００１２】
＜コネクタ装置Ｄ＞
本実施例のコネクタ装置Ｄは、図１に示すように、本発明の「コネクタ」に相当する雌コネクタＦと、本発明の「相手側コネクタ」に相当する雄コネクタＭと、を備えてなる。雄コネクタＭは、合成樹脂からなり、図２に示すように、前方に開放したフード部８１が形成されている。このフード部８１の内側には、雌コネクタＦが嵌合される。フード部８１の開口部分の形状は、左右非対称に形成されており、非対応のコネクタが挿入できないようになっている。フード部８１の外側面（本実施例では上面）には、ロック受け部８３が形成されており、雌コネクタＦには、このロック受け部８３に係止するロックアーム３０が形成されている（図３参照）。なお、ロックアーム３０は本発明の「ロック部」に相当する。
【００１３】
雌コネクタＦは、図３〜図６に示すように、合成樹脂製のハウジング１０と、ハウジング１０の前側部分に取り付けられる合成樹脂製のフロントリテーナ５０と、を備えてなる。なお、フロントリテーナ５０が本発明の「フロント部材」に相当する。
【００１４】
ハウジング１０は、図３〜図７に示すように、複数の雌端子金具１１を収容する端子収容部１２を有している。端子収容部１２は、正面視で一方向（本実施例では左右方向）に長い略矩形状をなしている。端子収容部１２は、各雌端子金具１１を左右方向に並べた状態で保持する端子保持部１３と、端子保持部１３に連続し端子保持部１３の上下左右を囲む形状をなす周壁部２０と、を有している。端子保持部１３は、後方から挿入された雌端子金具１１と係止することで雌端子金具１１の後方への抜けを防止するランス（図示省略）を有している。また、端子保持部１３は、端子収容部１２の前端部を構成し、且つランスに係止された雌端子金具１１の前方への移動を規制する規制部１４を有している。
【００１５】
周壁部２０は、左右側板部２０Ａと上板部２０Ｂと下板部２０Ｃとを有してなる。左右側板部２０Ａは、上下板部２０Ｂ，２０Ｃの左右側端縁よりも左右方向内方に引っ込んだ位置に配されている。左右側板部２０Ａにおける前側部分の上下端部は切り欠かれており、左右側板部２０Ａの前側部分と上下板部２０Ｂ，２０Ｃとの間には前方及び左右両側方に開放したハウジング側スリット２１が形成されている。左右側板部２０Ａの前後方向中央部及び後側部分は上下板部２０Ｂ，２０Ｃと連続している。また、左右両側のハウジング側スリット２１同士を水平方向につないだ領域は、前方及び左右両側方に開放しており、フロントリテーナ５０の一部が前方から収容可能な空間となっている。上板部２０Ｂの前端の位置は、下板部２０Ｃの前端と前後方向に揃っている。左右側板部２０Ａの前端の位置は、上下板部２０Ｂ，２０Ｃの前端よりも少し前方に配されている。左右側板部２０Ａの前端の位置は、端子保持部１３の前端と前後方向にほぼ揃っている。すなわち、上下板部２０Ｂ，２０Ｃの前端は、端子保持部１３の前端よりも少し後方に配されている。
【００１６】
周壁部２０は、左右側板部２０Ａのそれぞれの外側面から外方に突出した仮係止受部２２と、本係止受部２３とを有している。本係止受部２３は、仮係止受部２２と所定の間隔をあけて仮係止受部２２の後方に設けられている。左右両側の仮係止受部２２は、前後方向の位置が揃っている一方、上下方向の位置がずれている。同様に、左右両側の本係止受部２３は、前後方向の位置が揃っている一方、上下方向の位置がずれている。
【００１７】
ハウジング１０は、端子収容部１２の上下板部２０Ｂ，２０Ｃ（周壁部２０）の前端から前方に向けて略平板状に延びる突当部２４を有している。突当部２４は、上下板部２０Ｂ，２０Ｃと面一状に形成されている。突当部２４は、左右両端が上下板部２０Ｂ，２０Ｃの左右両端よりも内方に引っ込んだ位置に配されている。すなわち、突当部２４は、正面視における突当部２４の長さ方向（本実施例では左右方向）において、形成範囲が端子収容部１２よりも小さく形成されている。
【００１８】
上述した左右側板部２０Ａは、突当部２４の左右両端縁よりも左右方向外方に配されている。すなわち、左右側板部２０Ａは、平面視で突当部２４の左右両端縁と上下板部２０Ｂ，２０Ｃの左右両端との間に配されている。左右側板部２０Ａの前端及び端子保持部１３の前端は、突当部２４の前端よりも後方に配されており、突当部２４の後端（上下板部２０Ｂ，２０Ｃの前端）よりも前方に配されている。
【００１９】
上述したハウジング側スリット２１は、突当部２４の左右両端縁よりも左右方向外方に配されている。すなわち、ハウジング側スリット２１は、平面視で突当部２４の左右両端縁と上下板部２０Ｂ，２０Ｃの左右両端との間に配されている。ハウジング側スリット２１の前端は、突当部２４の前端よりも少し後方の位置に配されており、突当部２４の後端（上下板部２０Ｂ，２０Ｃの前端）よりも前方の位置に配されている。ハウジング側スリット２１は、突当部２４の後端よりも後方まで延びている。
【００２０】
ハウジング１０には、突当部２４の左右方向両端縁と上下板部２０Ｂ，２０Ｃの左右両端部の前端縁とで区画され、平面視において略方形に切り欠かれた切欠部２５が形成されている。
【００２１】
上下の突当部２４及び上下板部２０Ｂ，２０Ｃの前端部には、互いに対向する面から対向する方向（内方、フロントリテーナ５０が収容される空間側、フロントリテーナ５０側）に突出して前後方向に延びる内側リブ２６が形成されている。内側リブ２６は、突当部２４及び上下板部２０Ｂ，２０Ｃの左右両端部に１つずつ設けられている。内側リブ２６の前端は、突当部２４の前端とほぼ揃っている。上述したハウジング側スリット２１の前後方向の形成範囲は、内側リブ２６の前後方向の形成範囲とほぼ同じとなっている。なお、内側リブ２６が本発明の「リブ」に相当する。
【００２２】
上側の突当部２４及び上板部２０Ｂ（ハウジング１０）には、外側面（本実施例では上面）から外方（本実施例では上方）に向けて突出して前後方向に延びる外側リブ２７が形成されている。外側リブ２７の前端の位置は、突当部２４の前端と前後方向に揃っている。また、外側リブ２７の前端は、ハウジング側スリット２１の前端よりも少し前方まで延びており、外側リブ２７は、ハウジング側スリット２１の後端よりも後方まで延びている。外側リブ２７は、左右方向中央に形成されている。外側リブ２７は、２本設けられ、互いに平行に配されている。なお、ハウジング１０における外側リブ２７が設けられる面には、外側リブ２７と平行して延びる所定数（本実施例では１本）の誤嵌合防止リブ２９が形成されている。
【００２３】
上側の突当部２４及び上板部２０Ｂ（ハウジング１０）にはロックアーム３０が形成されている。ロックアーム３０は、外側リブ２７を構成の一部としており、突当部２４と間隔をあけて外側リブ２７同士をつなぐ接続部３１と、接続部３１を支点として弾性変位する片持ち状の弾性係止片３２と、を有してなる。接続部３１の前端の位置は、突当部２４の前端と前後方向に揃っている。
【００２４】
フロントリテーナ５０は、正面視で端子収容部１２と略同形状（矩形状）をなしている。フロントリテーナ５０は、端子収容部１２（端子保持部１３）の前端面を覆う正面視方形で平板状のカバー部５１と、カバー部５１の外周縁から後方に延びる延設部５２と、を有している。カバー部５１には、各雌端子金具１１に接続する雄端子金具（図示省略）が個別に挿入されるための挿入孔５３が複数形成されている。カバー部５１の正面視における四隅（上下両端部の左右両端部）には、上下方向に突出した侵入防止部５４が形成されている。侵入防止部５４の前面とカバー部５１の前面は連続しており、面一となっている。侵入防止部５４の左右の両外側面とカバー部５１の両外側面は連続しており、面一となっている。
【００２５】
カバー部５１及び延設部５２（フロントリテーナ５０）の上端面及び下端面には、ハウジング１０の内側リブ２６が嵌合する溝部５５が形成されている。延設部５２は、左右側板部５２Ａと上板部５２Ｂと下板部５２Ｃとを有してなる。延設部５２の左右側板部５２Ａの内面には、ハウジング１０の仮係止受部２２又は本係止受部２３と係止する係止リブ５６が形成されている。係止リブ５６の幅寸法は、仮係止受部２２と本係止受部２３との間隔と同じか僅かに小さい。延設部５２には、正面視においてハウジング側スリット２１と対応する位置に、前後方向に延びて後方に開放したフロント側スリット５７が形成されている（図８参照）。
【００２６】
＜コネクタ装置Ｄの組み立て＞
雌コネクタＦの組み立てでは、図９〜図１２に示すように、ハウジング１０に対して前方からフロントリテーナ５０が組み付けられる。フロントリテーナ５０は、ハウジング１０に組み付けられる際、上下の突当部２４（端子収容部１２）の内側面に沿って組付方向に移動する。このとき、フロントリテーナ５０の溝部５５は内側リブ２６に嵌まり込み、内側リブ２６に沿って組付方向に移動する。また、フロントリテーナ５０の延設部５２の左右側板部５２Ａは、図１０に示すように、ハウジング１０の左右側板部２０Ａの外側面に沿って組付方向に移動する。そして、フロントリテーナ５０が組付方向に移動すると、フロント側スリット５７は、ハウジング側スリット２１に嵌まり込む。また、係止リブ５６が仮係止受部２２に乗り上げて外側に撓み、仮係止受部２２を越えると元の形状に復帰して仮係止状態となる（図１１参照）。仮係止状態では、係止リブ５６が仮係止受部２２と本係止受部２３との間に嵌まり込み、係止リブ５６の前後方向への変位が仮係止受部２２及び本係止受部２３によって規制される。フロントリテーナ５０がさらに嵌合方向に移動すると、係止リブ５６が本係止受部２３に乗り上げて外側に撓み、本係止受部２３を越えると元の形状に復帰して本係止状態となる（図１２参照）。
【００２７】
本係止状態では、カバー部５１（フロントリテーナ５０）は、突当部２４の内側面に沿うように配され、上下板部２０Ｂ，２０Ｃの間に挟まれるように配される。また、正面視における突当部２４の長さ方向（本実施例では左右方向）において、突当部２４の形成範囲がカバー部５１の形成範囲（幅寸法）よりも小さくなっている。これにより、突当部２４が成形時に反ってしまうことによって、正面視における突当部２４の両端部とカバー部５１との間に生じる隙間Ｓの左右両端の開口寸法が拡開することを抑制することができる。すなわち、突当部２４の成型時に生じる反りの曲率が突当部２４の板幅寸法に関わらず一定であると考えると、突当部２４の板幅寸法を小さくすることで開口寸法の拡開を抑えることができる。例えば、図１３（Ａ）に示す比較例のように、正面視における突当部９１の長さ方向において、突当部９１の形成範囲がカバー部９０の形成範囲と同じ場合には、開口寸法がＸ０となる。これに対し、正面視における突当部２４の長さ方向において、突当部２４の形成範囲がカバー部５１の形成範囲よりも小さい場合には、図１３（Ｂ）に示すように、開口寸法がＸ０よりも小さいＸ１となる。
【００２８】
本係止状態では、カバー部５１は、正面視における突当部２４の長さ方向において、突当部２４よりも外側に張り出している。侵入防止部５４は、カバー部５１の張り出した部分から突当部２４側（上側）に突出して、正面視におけるカバー部５１と突当部２４との隙間Ｓの両端の開口部分を塞いでいる。すなわち、侵入防止部５４は、正面視における突当部２４の長さ方向において、隙間Ｓの延長線上に配されており、雄コネクタＭのフード部８１が正面視における突当部２４の長さ方向からその隙間Ｓに侵入することを防止している。また、侵入防止部５４は、ハウジング１０の切欠部２５を埋めるようにして突出している。すなわち、雌コネクタＦの前端部における上縁部と下縁部の左右両端はフロントリテーナ５０の侵入防止部５４によって構成されており、左右の侵入防止部５４の間に突当部２４が隣接して挟まれるように配されている。侵入防止部５４の前端の位置は、突当部２４の前端と前後方向にほぼ揃っている。侵入防止部５４の突出端面（上端面、下端面）は、突当部２４（端子収容部１２）の上下方向外側面と略面一となる。侵入防止部５４の突出端面（上端面、下端面）は、突当部２４で覆われておらず、上下方向外方に露出している。侵入防止部５４の後面は、上下板部２０Ｂ，２０Ｃの左右両端部の前端縁に沿って起立している。侵入防止部５４の左右の両内側面は、突当部２４の左右両端縁に沿って起立している。フロントリテーナ５０の前端の位置は、突当部２４の前端と前後方向に揃っているか、あるいは突当部２４の前端よりも後方である。
【００２９】
本係止状態となった雌コネクタＦは、雄コネクタＭのフード部８１の内側に嵌合される。このとき、図１３（Ａ）に示す比較例のようなコネクタの場合、隙間Ｓの両端が左右に開口しているので、この開口部分からフード部８１が入り込むおそれがある。そして、フード部８１に隙間Ｓに入り込むと、突当部２４に応力が集中して、突当部２４が破損するおそれがある。
【００３０】
これに対し、本実施例の雌コネクタＦでは、隙間Ｓの両端の開口部分が侵入防止部５４によって塞がれている。ゆえに、フード部８１が隙間Ｓの両端の開口部分から入り込むことなく、雌コネクタＦをフード部８１の内側に嵌め込むことができる。雌コネクタＦの侵入防止部５４がフード部８１に収まると、侵入防止部５４がフード部８１に収まった状態を維持したまま、雌コネクタＦと雄コネクタＭとが互いに正面を向くように配置される。このとき、突当部２４の外側面は、侵入防止部５４の外側面と略面一か、侵入防止部５４の外側面よりも上下方向外方（内方）に配される。ゆえに、フード部８１は、突当部２４の外側面に沿って（突当部２４の外側面の外側を通って）進入していくので、フード部８１が突当部２４とカバー部５１との隙間Ｓに入り込むことが防止される。雄コネクタＭと対向するように配置された雌コネクタＦをフード部８１内に進入させると、雌コネクタＦの外側リブ２７が雄コネクタＭのロック受け部８３に沿って移動する。そのまま雌コネクタＦを進入させると、ロックアーム３０がロック受け部８３に押されて下方に撓み、ロックアーム３０の係止爪がロック受け部８３を越えると元の形状に復帰してロック受け部８３に係止される。こうして、雌コネクタＦが雄コネクタＭに嵌合される。
【００３１】
＜本実施例の作用及び効果＞
以上説明したように、本実施例１の雌コネクタＦは、雄コネクタＭのフード部８１の内側に嵌合されるハウジング１０と、ハウジング１０の前側部分に取り付けられるフロントリテーナ５０と、を備えている。ハウジング１０は、複数の雌端子金具１１を収容する端子収容部１２と、端子収容部１２の外周縁から前方に向けて略平板状に延び、且つフード部８１に嵌合したときにフード部８１の奥端面に突き当たる突当部２４と、を有している。フロントリテーナ５０は、突当部２４の内側面に沿うように配されて、端子収容部１２の前端を覆うカバー部５１と、正面視におけるカバー部５１と突当部２４との隙間Ｓの両端部の開口部分を塞ぐようにカバー部５１から突出した侵入防止部５４と、を有している。これにより、突当部２４とカバー部５１との隙間Ｓへの入り口が侵入防止部５４によって塞がれるので、フード部８１が隙間Ｓに入り込むことを防止することができる。したがって、フード部８１が隙間Ｓに入り込んでしまうことによって、ハウジング１０の突当部２４に応力が集中し、突当部２４が破損することを防止することができる。
【００３２】
また、ハウジング１０は、突当部２４から突当部２４の厚み方向に突出して前後方向に延びる内側リブ２６、外側リブ２７を有している。これにより、突当部２４の成形時における反りを抑制することができるので、正面視における突当部２４の両端部とカバー部５１との隙間Ｓの両端の開口部分が拡開することを抑制でき、その結果、フード部８１が突当部２４とカバー部５１との隙間Ｓに入り込んでしまうことをより確実に防止することができる。
【００３３】
また、フロントリテーナ５０は、内側リブ２６が嵌まり込む溝部５５を有している。これにより、内側リブ２６の突出寸法を確保して、突当部２４の反りをより効率的に防止することができる。
【００３４】
また、本実施例１の雌コネクタＦは、雄コネクタＭのフード部８１の内側に嵌合されるハウジング１０と、ハウジング１０の前側部分に取り付けられるフロントリテーナ５０と、を備えている。ハウジング１０は、複数の雌端子金具１１を収容する端子収容部１２と、端子収容部１２の外周縁から前方に向けて略平板状に延び、且つフード部８１に嵌合したときにフード部８１の奥端面に突き当たる突当部２４と、を有している。フロントリテーナ５０は、突当部２４の内側面に沿うように配されて、端子収容部１２の前端を覆うカバー部５１を有している。そして、正面視における突当部２４の長さ方向において、突当部２４の形成範囲がカバー部５１の形成範囲よりも小さくなっている。この雌コネクタＦによれば、正面視における突当部２４の長さ方向において、突当部２４の形成範囲がカバー部５１よりも小さく設定されているので、突当部２４の成形時に生じる反りが抑制され、突当部２４の両端部とカバー部５１との隙間Ｓが拡開することを抑制することができる。これにより、突当部２４とカバー部５１との隙間Ｓにフード部８１が入り込みにくくなるので、雌コネクタＦが雄コネクタに嵌合する際に、フード部８１が隙間Ｓに入り込んで突当部２４に応力が集中し、突当部２４が破損してしまうことを抑制することができる。
【００３５】
また、ハウジング１０は、突当部２４からカバー部５１とは反対側に突出して前後方向に延びる外側リブ２７を有している。これにより、突当部２４の成形時に生じる反りを抑制することができるので、正面視における突当部２４の両端部とカバー部５１との隙間Ｓの両端の開口部分が拡開することをより確実に抑制することができる。
【００３６】
また、外側リブ２７の前端の位置は、突当部２４の前端と前後方向に揃っている。突当部２４の厚みが薄い場合、突当部２４の前端に検査用冶具を押し当てて前後位置を計測しようとしても、検査用冶具が突当部２４の厚み方向に傾いたり、滑ってしまったりして安定しない。この点、本発明によれば、突当部２４と外側リブ２７との交差部分に検査用冶具を押し当てることで、突当部２４の前端に確実に押し当てることができる。したがって、突当部２４の前端の前後位置を正確に把握することができ、突当部２４の前端を基準としたフロントリテーナ５０の前方への突出寸法を計測することが可能となる。また、外側リブ２７は左右方向中央部に設けられている。突当部２４の前端に検査用冶具を押し当てる際、左右方向の一端に設けられている誤嵌合防止リブ２９と突当部２４との交差部分に検査用冶具を押し当てることも考えられるが、誤嵌合防止リブ２９の位置はコネクタの種類によって異なるので、押し当てる位置がコネクタの種類によって変化してしまう。これに対し、雌コネクタＦでは、外側リブ２７が左右方向の中央に設けられているので、コネクタの種類に関わらず押し当てる位置を同じにすることができる。
【００３７】
また、フロントリテーナ５０は、正面視におけるカバー部５１と突当部２４との間に生じた隙間Ｓの両端部の開口部分を塞ぐようにカバー部５１から突出した侵入防止部５４を有している。これにより、突当部２４とカバー部５１との隙間Ｓへの入り口が侵入防止部５４によって塞がれるので、フード部８１が隙間Ｓに入り込むことを防止することができる。したがって、フード部８１が隙間Ｓに入り込んでしまうことによって、ハウジング１０の突当部２４に応力が集中し、突当部２４が破損することをより確実に防止することができる。
【００３８】
また、ハウジング１０は、突当部２４からカバー部５１側に突出して前後方向に延びる内側リブ２６を有している。これにより、突当部２４の成形時に生じる反りを抑制することができるので、正面視における突当部２４の両端部とカバー部５１との隙間Ｓの両端の開口部分が拡開することをより確実に抑制することができる。
【００３９】
また、本実施例１のコネクタ装置Ｄは、雌コネクタＦ及び雄コネクタＭを備えている。雌コネクタＦはロックアーム３０を有しており、雄コネクタＭはロックアーム３０と係止されるロック受け部８３を有している。雌コネクタＦの外側リブ２７は、ロックアーム３０をロック受け部８３と係止する方向にガイドする。これにより、雌コネクタＦの突当部２４を、雌コネクタＦを雄コネクタＭと係止する方向に誘導するガイドとしても利用することができる。
【００４０】
また、ロックアーム３０は、外側リブ２７を支点とした片持ち状の弾性係止片を有してなる。こうすれば、ロックアーム３０の支持部と外側リブ２７とが分離した形状とする場合と比較して、雌コネクタＦの型枠の形状を簡素化することができるので、樹脂成型時に樹脂が良好に行き渡り、成形不良が生じにくくなる。
【００４１】
＜他の実施例＞
本発明は上記記述及び図面によって説明した実施例に限定されるものではなく、例えば次のような実施例も本発明の技術的範囲に含まれる。
（１）上記実施例１では、フロント部材をフロントリテーナとした。しかし、端子収容部の前端を覆うことができれば、フロントリテーナ以外の部材であってもよく、例えばフロントマスクであってもよい。
（２）上記実施例１では、突当部をハウジングの上下２か所に設けた。しかし、ハウジングの上下でなく左右に設けてもよい。また、２か所でなく１か所だけでもよい。
【符号の説明】
【００４２】
Ｄ…コネクタ装置
Ｆ…雌コネクタ（コネクタ）
Ｍ…雄コネクタ（相手側コネクタ）
１０…ハウジング
１１…端子金具（雌端子金具）
１２…端子収容部
２４…突当部
２６…内側リブ（リブ）
２７…外側リブ
３０…ロックアーム（ロック部）
５０…フロントリテーナ（フロント部材）
５１…カバー部
５４…侵入防止部
５５…溝部
８１…フード部
８３…ロック受け部
【図１】
2019140045.tif 000003
【図２】
2019140045.tif 000004
【図３】
2019140045.tif 000005
【図４】
2019140045.tif 000006
【図５】
2019140045.tif 000007
【図６】
2019140045.tif 000008
【図７】
2019140045.tif 000009
【図８】
2019140045.tif 000010
【図９】
2019140045.tif 000011
【図１０】
2019140045.tif 000012
【図１１】
2019140045.tif 000013
【図１２】
2019140045.tif 000014
【図１３】
2019140045.tif 000015